(57)【要約】【課題】  建物等の壁板材の取付構造に関し、板材同士の結合作業が簡単で施工性、経済性に優れ、また耐久性にも優れた壁板材の取付構造を提供することを課題とする。【解決手段】  壁を敷設するための下地材の外側に、所定の間隔をおいて横向きに取り付けられる胴縁材１０と、上記胴縁間に上下に複数枚固定され、長尺側の両側部の中間部にそれぞれ長尺方向に溝部１６，１６が形成された壁板材１２と、隣接する上記壁板材の溝部同士により形成される断面長方形状の空間部２０に嵌め込まれ、断面が円弧状に屈曲した長尺板状のジョイント具１４と、を有し、上記ジョイント具１４は、上記空間部２０の上下全体を通して嵌め込まれ、且つ上記円弧状に屈曲して凹部１８が形成された面を外側に向け、上記空間部２０の壁面とこの円弧状の凹部１８とによって形成される隙間を、雨水排水用の水路とした構成である。【選択図】  図１
2010138598.tif 000002
【特許請求の範囲】
【請求項１】
壁を敷設するための下地材の外側に、所定の間隔をおいて横向きに取り付けられる胴縁材と、
上記胴縁材間に上下に複数枚固定され、長尺側の両側部の中間部にそれぞれ長尺方向に溝部が形成された壁板材と、
隣接する上記壁板材の溝部同士により形成される断面長方形状の空間部に嵌め込まれ、断面が円弧状に屈曲した長尺板状のジョイント具と、を有し、
上記ジョイント具は、上記空間部の上下全体を通して嵌め込まれ、且つ上記円弧状に屈曲して凹部が形成された面を外側に向け、上記空間部の壁面とこの円弧状の凹部とによって形成される隙間を、雨水排水用の水路としたことを特徴とする壁板材の取付構造。
【請求項２】
上記壁板材として屋外デッキ用のデッキ材を用いたことを特徴とする請求項１記載の壁板材の取付構造。
【請求項３】
壁を敷設するための下地材の外側に、所定の間隔をおいて横向きに胴縁材を取り付け、
長尺側の両側部の中間部にそれぞれ長尺方向に溝部が形成された壁板材を用い、上記胴縁材間に上下に複数枚の上記壁板材を配置し、これらの壁板材を止着具を用いて上記胴縁材に固定し、
断面が円弧状に屈曲した長尺板状のジョイント具の片半部分を、上記上下に配設した壁板材により形成される直線状の溝部に上下全体を通して嵌め込み、
上記壁板材に隣接させて新たな壁板材を配置し、この壁板材の上記溝部を上記先に敷設した壁板材から半分が突出する上記ジョイント具に嵌めるめるとともに、この壁板材の側部を先に敷設した壁板材の側部に密着させて、この壁板材を止着具を用いて上記胴縁材に固定し、
上記ジョイント具は、上記円弧状に屈曲して凹部が形成された面を外側向きとし、隣接する上記壁板材の溝部同士により形成される断面長方形状の空間部の壁面と、上記円弧状の凹部とによって形成される隙間を、雨水排水用の水路としたことを特徴とする壁板材の取付方法。
【発明の詳細な説明】
【技術分野】
【０００１】
本発明は、建物等の壁板材の取付構造及び取付方法に関する。
【背景技術】
【０００２】
従来、板材を用いて建物の壁面等を敷設する場合、板材同士を接続する際には雇い実を用いて隣接する板材同士を結合する方法が用いられている。
例えば、特許文献１に記載のパネル３８の接合構造は図８に示すように、雇い実３０を一体に樹脂成形し、この雇い実３０の片側にはひれ形状板部３１を設け、上記ひれ形状板部３１は一方の凹溝３２の側面内壁に弾接して係止し、上記雇い実３０の反対側には内部に中空部３４を有した略角筒形状の筒状部３５を設け、上記筒状部は他方の凹溝３６の側面内壁に密着して嵌合するものである。
【０００３】
また、特許文献２には隣接する床材同士を実結合し、結合後は雇い実が簡単に外れることがない実結合の構造が開示されており、特許文献３には、熱や力加わっても隙間が生じ難い実結合を実現する床パネル接合方法が示されている。
【０００４】
【特許文献１】特開２００１−９８６５２号公報
【特許文献２】特開２００８−５０７５８号公報
【特許文献３】特開２００６−５７３６０号公報
【発明の開示】
【発明が解決しようとする課題】
【０００５】
さて、上記特許文献１に記載のパネルの接合構造は、雇い実にひれ形状板部を設けているため構造が複雑であり、また特許文献２，３の実結合は何れも床板同士の結合に関するものであるが、これらについても各床板の凹溝は特殊な形状をなしており構造も複雑であり、また経済性にも欠けるという問題がある。
【０００６】
本発明は、上記問題点に鑑みてなされたものであり、板材同士の結合作業が簡単で施工性、経済性に優れ、また耐久性にも優れた壁板材の取付構造及び取付方法を提供することを目的とする。
【課題を解決するための手段】
【０００７】
以上の技術的課題を解決するため、本発明に係る壁板材の取付構造は、図１，２等に示すように、壁を敷設するための下地材の外側に、所定の間隔をおいて横向きに取り付けられる胴縁材１０と、上記胴縁材間に上下に複数枚固定され、長尺側の両側部の中間部にそれぞれ長尺方向に溝部１６，１６が形成された壁板材１２と、隣接する上記壁板材の溝部同士により形成される断面長方形状の空間部２０に嵌め込まれ、断面が円弧状に屈曲した長尺板状のジョイント具１４と、を有し、上記ジョイント具１４は、上記空間部２０の上下全体を通して嵌め込まれ、且つ上記円弧状に屈曲して凹部１８が形成された面を外側に向け、上記空間部２０の壁面とこの円弧状の凹部１８とによって形成される隙間を、雨水排水用の水路とした構成である。
【０００８】
本発明に係る壁板材の取付構造は、上記壁板材１２として屋外デッキ用のデッキ材を用いた構成である。
【０００９】
本発明に係る壁板材の取付方法は、壁を敷設するための下地材の外側に、所定の間隔をおいて横向きに胴縁材１０を取り付け、長尺側の両側部の中間部にそれぞれ長尺方向に溝部１６，１６が形成された壁板材１２を用い、上記胴縁材間１０に上下に複数枚の上記壁板材１２を配置し、これらの壁板材を止着具を用いて上記胴縁材に固定し、断面が円弧状に屈曲した長尺板状のジョイント具１４の片半部分を、上記上下に配設した壁板材により形成される直線状の溝部１６に上下全体を通して嵌め込み、上記壁板材に隣接させて新たな壁板材１２を配置し、この壁板材１２の上記溝部１６を上記先に敷設した壁板材から半分が突出する上記ジョイント具１４に嵌めるめるとともに、この壁板材の側部を先に敷設した壁板材の側部に密着させて、この壁板材を止着具を用いて上記胴縁材に固定し、上記ジョイント具１４は、上記円弧状に屈曲して凹部１８が形成された面を外側向きとし、隣接する上記壁板材の溝部同士により形成される断面長方形状の空間部２０の壁面と、上記円弧状の凹部とによって形成される隙間を、雨水排水用の水路としたことである。
【発明の効果】
【００１０】
以上説明したように、本発明に係る壁板材の取付構造によれば、胴縁材間に上下に複数枚固定される壁板材同士により形成される空間部に嵌め込まれるジョイント具は、空間部の上下全体を通して嵌め込み、且つ凹部が形成された面を外側に向け、空間部とこの凹部とによって形成される隙間を雨水排水用の水路とした構成を採用したから、隣接する壁板材同士の反り或いはあばれが防止できるとともに、ジョイント具の外側に水路が確保できて排水及び防水の効果が得られ、さらにジョイント具が溝部の幅より薄く形成できることからコストが削減され、省資源化にも寄与するという効果を奏する。
【００１１】
また、本発明に係る壁板材の取付構造によれば、壁板材として屋外デッキ用のデッキ材を用いた構成としたから、壁板材として比較的短尺のデッキ材の破材を有効に使用することができてコスト削減、省資源化に寄与し、また耐久性にも優れるという効果がある。
【００１２】
また、本発明に係る壁板材の取付方法によれば、横向きに取り付けた胴縁材間に上下に複数枚の壁板材を配置し、ジョイント具の片半部分を、壁板材により形成される直線状の溝部の上下全体を通して嵌め込み、新たな壁板材の溝部をジョイント具に嵌め、ジョイント具の凹部を外側に向けて配置しこの凹部によって形成される隙間を、雨水排水用の水路とした方法を採用したから、壁板材の敷設が簡単で施工性に優れ、また隣接する壁板材同士の反り或いはあばれが防止できるとともに、ジョイント具の外側に水路が確保できて排水及び防水の効果が得られ、さらにジョイント具が溝部の幅より薄く形成できることからコストが削減され、省資源化にも寄与するという効果を奏する。
【発明を実施するための最良の形態】
【００１３】
以下、本発明の実施の形態に係る壁板材の取付構造及び取付方法を図面に基づいて説明する。
図１〜３は、戸建住宅などの建物における外壁の壁板材の取付構造を示したものである。この外壁２は、防火構造になっており、内部にはグラスウール等の断熱材４が配置されている。
【００１４】
また上記外壁２の下地は、建物の柱５及び柱同士の間に配置される間柱６、石膏ボード８、胴縁材１０からなる。外壁２は、壁板材１２及び各壁板材１２同士を連結するジョイント具１４からなる。上記石膏ボード８は、板厚が９．５ｍｍ以上のものが用いられる。また、上記胴縁材１０は木製の角材である。
【００１５】
上記壁板材１２には、一般に屋外の広場等のデッキに敷設されるデッキ材を用いる。このデッキ材の材質としては、マニルカラ、ジャラ、イペ、セランガンバツなどの天然の硬質木材、或いは人工木材（木粉、顔料、ポリエチレン樹脂又はポリプロピレン樹脂を原材料とした再生品）などがあり何れも利用可能である。上記デッキ材は、敷設する場所の形状などにより各種のサイズに切断して使用されるため、破材も多く発生する。またデッキ材は耐候性に優れ、屋外の用途には適しており再利用が可能である。
【００１６】
また上記デッキ材は一般に図４及び図５に示すように、長尺側の両側部の中央部には溝部１６，１６が形成されており、これはデッキ材１３を根太鋼等に取り付けるときに、固定金具の翼片を上記溝部１６，１６に係合させて固定するためのものである。この実施の形態では、デッキ材の上記溝部１６，１６を利用して上記ジョイント具１４を介在させる。勿論、上記溝部が形成されてないデッキ材を用いる場合には、加工により同様な溝部を刻設すればよい。
【００１７】
壁板材１２は、横向きに一体間隔で配置した胴縁材１０間に張り付ける。この実施の形態では、壁板材１２の長さ（Ｌ）は、上記胴縁材１０の配置間隔（Ｈ）（ここでは４９０ｍｍ（他に５８０ｍｍなど有り））の３倍のものを用いる。但し、壁板材１２同士の上下を相じゃくりで継ぐ場合には、壁板材１２の長さは継ぎ代分長くなる。この壁板材１２の長さ（Ｌ）は、胴縁材１０の配置間隔（Ｈ）のｎ倍（Ｌ＝ｎＨ、ｎ＝１，２，３・・）のものを用いることができるが、作業性及び破材の長さを考慮した場合２〜４倍が適当である。また、一壁面に何種類の長さの壁板材１２を用いてもよい。
【００１８】
上記ジョイント具１４は、断面円弧状の長尺の高耐蝕溶融メッキ鋼板材である。このためジョイント具１４の一方の面には、円弧状の凹部１８（反対側は凸部）が形成されている。このジョイント具１４の材料は、他にＳＵＳ（ステンレス鋼材）、合成樹脂材を用いることができる。
【００１９】
ここで、ジョイント具１４と壁板材１２の溝部１６，１６とのサイズの関係について説明する。図４に示すように、ジョイント具１４は壁板材１２の長尺側同士を密着した状態で接合するものであり、いわゆる雇い実として使用する。両壁板材１２の側部同士を密着させた場合、両壁板材１２の溝部１６，１６により断面長方形状の空間部２０が形成される。この実施の形態では、上記空間部２０の縦寸法（Ａ）は３ｍｍ、横幅（Ｂ）は２２ｍｍ（溝部１６の深さ１１ｍｍ）としている。
【００２０】
一方、ここで用いるジョイント具１４は、板厚（ｔ）が１．６ｍｍ、断面の横幅（Ｗ）が２２ｍｍの長尺材（規格の長さ３ｍ）である。また、ジョイント具１４の断面の縦寸法（Ｘ：中央部の上端部と左右端部の下端部間の寸法）は３ｍｍである。
したがって、ジョイント具１４を上記空間部２０に嵌め込んだ場合、ジョイント具１４の縦横の寸法は上記空間部２０と同一であるため、ジョイント具１４は空間部２０内に隙間なく内嵌する。
【００２１】
上記ジョイント具１４は、壁面の上下範囲の全体（壁板材１２は上下に複数配置）にわたって通し（接続箇所のない一本物）で用いる。またジョイント具１４は、壁板材１２の空間部２０には、その凹部１８を外側（屋外側）に向けて取り付ける。これは、上記空間部２０の内壁面と上記凹部１８との間に形成される内部空間を雨水の排水用の水路（Ｃ）として利用するためである。
【００２２】
ここで、建物に上記壁板材１２を敷設するときの取付方法について説明する。
この建物には、柱５及び各柱同士の間には間柱６が下地材として立設されており、これら柱５及び間柱６の外側（屋外側）に防火材料として石膏ボード８を張り付ける。この石膏ボード８は、板厚が９．５ｍｍ以上のものを用いる。また、上記石膏ボード８の外側表面には透湿性の防水シートを貼り付ける。
【００２３】
そして、上記石膏ボード８の外側に防水シートを介して胴縁材１０を横向きに取り付ける。上記胴縁材１０は、一定の上下間隔（Ｈ＝４９０ｍｍ）をおいて水平に配置し、釘等の止着具を用いて柱５及び間柱６に固定する。
【００２４】
次に、上記胴縁材１０間に壁板材１２を取り付け、これら壁板材１２は上下に複数枚用いる。ここでは、図６に示すように、壁板材１２の上下端部を相欠きにより欠き取り、相じゃくりにより上下の壁板材１２を接合（継ぐ）する。このため、壁板材１２の長さ（Ｌ）は、胴縁材１０の間隔（Ｈ＝４９０ｍｍ）の３倍＋欠き取り分（Ｄ＝１０ｍｍ）の寸法（Ｌ＝３Ｈ＋Ｄ＝１４８０ｍｍ）となっている。
【００２５】
壁板材１２は、止着具として木工用のビス２４を用いて胴縁材１０に固定する。このとき、壁板材１２は硬質であるため、予め壁板材１２にビス孔を設けまた孔の面取りをしておく。また、壁板材１２の上下の継ぎ目（胴縁材１０の位置で継ぐ）については、左右に隣接する壁板材１２同士は同じ胴縁材１０の位置としないで、その上下の胴縁材１０の位置にずらして取り付ける。これにより、隣接する壁板材１２同士をジョイント具１４で接続した場合に両者が強度を補強し合う。
【００２６】
さて、壁板材１２の敷設は、横方向の端部より順に行なう。そして、上下に複数枚の壁板材１２を配置し、それぞれ胴縁材１０にビス２４を用いて固定する。壁板材１２を固定する順序としては、相じゃくりの関係で下から上方に向けて直線状に取り付ける。また、上端部及び下端部の壁板材１２については（他より短尺のものを使用する場合がある）、壁板材１２を必要な長さに切断して用いる。
【００２７】
次に、上記上下に配置した複数の壁板材１２により直線状に形成される溝部１６の全体にわたり、上記ジョイント具１４を通しで嵌め込む。このジョイント具１４は、その円弧状の凹部１８を外側（屋外側）にして横幅の半分を壁板材１２の溝部１６に嵌める。
【００２８】
そして、上記壁板材１２に隣接させて新たな壁板材１２を配置し、上記先に敷設した壁板材１２から半分が突出するジョイント具１４に、この壁板材１２の溝部１６を嵌め込むとともに、この壁板材１２の側部を先に敷設した壁板材１２の側部に密着させて保持し、ビス２４を用いてこの壁板材１２を胴縁材１０に固定する。この際、新たな壁板材１２の上下の継ぎ（接続）箇所は、先に配置した隣の壁板材１２の継ぎ箇所とは一つ胴縁材１０をずらした位置とする。これらの新たな壁板材１２についても、下から上方に向けて直線状に取り付ける。
【００２９】
以降についても、上記と同様にして、ジョイント具１４及び壁板材１２の取り付けて、壁面を仕上げる。またこの壁面の下端部には、ジョイント具１４の水路を伝って流れ落ちる雨水を所定位置に流す水切りを設けておく。
図７は、上下の壁板材１２同士の結合に関し、相じゃくりの箇所をビス２４で胴縁材１０に固定した形態を示したものである。この場合には、相欠き部分がビス２４で貫通固定されるため目違いが出にくくなる。
【００３０】
従って、上記実施の形態によれば、壁板材のジョイント具を断面円弧状に屈曲させかつ通しで用いたから、ジョイント具の外側に水路が確保できて排水及び防水の効果が得られ、また隣接する壁板材同士の反り或いはあばれが防止できるという効果がある。また、鋼製のジョイント具が溝部の幅より薄く形成できることからコストが削減され、省資源化にも寄与する。一方、壁板材として比較的短尺のデッキ材の破材を使用することが可能となって、コスト削減、省資源化に寄与し、耐久性にも優れる。
【００３１】
なお、上記壁板材の取付構造及び取付方法は、建物の壁面以外に、塀の壁面などにも適用することができる。
【図面の簡単な説明】
【００３２】
【図１】本発明の実施の形態に係る壁板材の取付構造を示す図である。
【図２】実施の形態に係る壁板材の取付構造の水平断面を示す図である。
【図３】実施の形態に係る壁板材の取付構造の垂直断面を示す図である。
【図４】壁板材同士をジョイント具で接続した状態を示す図である。
【図５】壁板材同士を左右に接続した状態を示す図である。
【図６】壁板材同士を上下に継いだ状態を示す図である。
【図７】壁板材同士を上下に継いだ他の形態を示す図である。
【図８】従来例に係るパネルの接合構造を示す図である。
【符号の説明】
【００３３】
１０  胴縁材
１２  壁板材
１４  ジョイント具
１６  溝部
１８  凹部
２０  空間部
【図１】
2010138598.tif 000003
【図２】
2010138598.tif 000004
【図３】
2010138598.tif 000005
【図４】
2010138598.tif 000006
【図５】
2010138598.tif 000007
【図６】
2010138598.tif 000008
【図７】
2010138598.tif 000009
【図８】
2010138598.tif 000010